(57)【要約】      （修正有）【課題】シート裾部のローラへの巻き込みを防止できる伸縮式テント倉庫を提供する。【解決手段】複数のフレーム１２の下端に軌条１１上を走行する軌道輪１４が装着され、複数のフレーム１２上に蛇腹状のシート１８が覆設され、隣接するフレーム１２に、屈曲手段１６により連結された一対のバー材１５がそれぞれ枢結され、一対のバー材１５を外側に折り畳みながら、シート１８の裾部１８ａを軌条１１より外側に押し出してなる。【選択図】図１
2013133629.tif 000002
【特許請求の範囲】
【請求項１】
複数のフレームの下端に軌条上を走行する軌道輪が装着され、前記複数のフレーム上に蛇腹状のシートが覆設され、前記複数のフレームが前記軌条上を走行することにより伸縮可能な蛇腹状構造によって簡易倉庫型空間を形成する伸縮式テント倉庫であって、
隣接する前記フレームに、屈曲手段により連結された一対のバー材がそれぞれ枢結され、前記簡易倉庫型空間を縮小するとき、前記一対のバー材を外側に折り畳みながら、前記シートの裾部を前記軌条より外側に押し出すことを特徴とする伸縮式テント倉庫。
【請求項２】
前記隣接するフレームの下部に、その内側に向けて横杆がそれぞれ突設され、前記一対のバー材が前記横杆の内端近傍にそれぞれ枢結されたことを特徴とする請求項１に記載の伸縮式テント倉庫。
【請求項３】
前記屈曲手段は、蝶番であることを特徴とする請求項１または２に記載の伸縮式テント倉庫。
【請求項４】
前記蝶番は、強靭性を有する繊維生地からなることを特徴とする請求項３に記載の伸縮式テント倉庫。
【請求項５】
前記バー材は、アルミ鋼材からなることを特徴とする請求項４に記載の伸縮式テント倉庫。
【請求項６】
前記バー材の外端部が、前記シートに固着されたことを特徴とする請求項４または５に記載の伸縮式テント倉庫。
【請求項７】
前記蝶番は、前記バー材に結束バンドにより着脱自在に取り付けられたことを特徴とする請求項６に記載の伸縮式テント倉庫。
【発明の詳細な説明】
【技術分野】
【０００１】
本発明は、作業場やイベント用のハウスおよび荷物の収納庫として利用される伸縮式のテント倉庫に関する。
【背景技術】
【０００２】
従来、この種の伸縮式テント倉庫は、図６に示すように、一列状に配列された略コ字状の複数のフレーム１上に、蛇腹状のテントシート２が着脱可能に被覆されるとともに、複数のフレーム１の下端に、レール４上を走行するローラ３が個別に装着されている。
複数のフレーム１は、ローラ３によりレール４上を走行し、テントシート２を折り畳み、或いは伸長することで、テント倉庫の伸縮が行なわれる。
【０００３】
かかる伸縮式テント倉庫は、重量物や長尺物の保管に有利であり、クレーンやフォークリフト等の搬入および搬出作業が容易にできる（例えば、特許文献１参照）。
【先行技術文献】
【特許文献】
【０００４】
【特許文献１】実開平６−６６３８号公報
【発明の概要】
【発明が解決しようとする課題】
【０００５】
しかしながら、従来の伸縮式テント倉庫は、テントシート２が折り畳まれるとき、風圧等の外力により、テントシート２の裾部２ａがローラ３の軌道内に入り込み、ローラ３に巻き込まれることがある。
このため、テントシート２が破損したり、ローラ３にブレーキが掛かり、テント倉庫の伸縮操作が重くなり、フレーム１が蛇行走行し、最悪の場合は変形するという事情がある。
【０００６】
そこで、ローラ３にカバー（図示略す）を設け、テントシート２の裾部２ａがローラ３に入り込まないようにしたものがあるが、裾部２ａの入り込みを確実に防ぐことができず、裾部２ａにワイヤロープ（図示略す）を張り、裾部２ａがローラ３の軌道に干渉しないようにしたものがあるが、これでは荷物等がワイヤロープに引っ掛かったり、作業者がワイヤロープに躓き、安全性を損なうという事情がある。
【０００７】
本発明は、上記のような事情に鑑みてなされたものであって、その目的とするところは、シート裾部のローラへの巻き込みを確実に防止することができる伸縮式テント倉庫を提供することにある。
本発明の上記ならびにその他の目的と新規な特徴は、本明細書の記述および添付図面から明らかになるであろう。
【課題を解決するための手段】
【０００８】
上記目的を達成すべく、本発明は、複数のフレーム（１２）の下端に軌条（１１）上を走行する軌道輪（１４）が装着され、前記複数のフレーム（１２）上に蛇腹状のシート（１８）が覆設され、前記複数のフレーム（１２）が前記軌条（１１）上を走行することにより伸縮可能な蛇腹状構造によって簡易倉庫型空間（２０）を形成する伸縮式テント倉庫であって、隣接する前記フレーム（１２）に、屈曲手段により連結された一対のバー材（１５）がそれぞれ枢結され、前記簡易倉庫型空間（２０）を縮小するとき、前記一対のバー材（１５）を外側に折り畳みながら、前記シート（１８）の裾部（１８ａ）を前記軌条（１１）より外側に押し出すことを特徴とする。
【０００９】
これにより、簡易倉庫型空間（２０）を縮小するとき、即ちテント倉庫が縮小されるとき、バー材（１５）は、シート（１８）の裾部（１８ａ）を軌条（１１）より外側に押し出し、裾部（１８ａ）の軌道輪（１４）への巻き込みが防止される。
【００１０】
好ましい態様としては、前記隣接するフレーム（１２）の下部に、その内側に向けて横杆（１３）がそれぞれ突設され、前記一対のバー材（１５）が前記横杆（１３）の内端近傍にそれぞれ枢結される。これにより、バー材（１５）が折り畳まれたときの外側への張り出し量が小さくなり、テント倉庫の設置スペースが節約される。
【００１１】
上記態様では、前記屈曲手段は、蝶番（１６）であることが好ましい。これにより、バー材（１５）の屈曲動作がスムーズに行なわれる。
上記態様では、前記蝶番（１６）は、強靭性を有する繊維生地からなることが好ましい。これにより、蝶番（１６）の軽量化が図られ、耐錆性にも優れる。
上記態様では、前記バー材（１５）は、アルミ鋼材からなることが好ましい。これにより、バー材（１５）の軽量化が図られる。
【００１２】
上記態様では、前記バー材（１５）の外端部が、前記シート（１８）に固着されることが好ましい。これにより、バー材（１５）が安定的に保持され、垂れ下りが回避される。
上記態様では、前記蝶番（１６）は、前記バー材（１５）に結束バンド（２２）により着脱自在に取り付けられることが好ましい。これにより、バー材（１５）の交換が容易になる。
【発明の効果】
【００１３】
本発明の伸縮式テント倉庫によれば、テント倉庫が縮小されるとき、シート裾部は、バー材により軌条より外側に押し出されるので、シート裾部と軌道輪の軌道との干渉が回避され、シート裾部の軌道輪への巻き込みを確実に防止することができる。
【００１４】
また、バー材が横杆の内端、即ちテント倉庫の内側に枢結されたことで、バー材が折り畳まれたときの外側への張り出し量が小さくなり、テント倉庫の設置スペースが節約されるとともに、設置スペースに余裕ができ、テント倉庫の設置作業が容易になる。
【図面の簡単な説明】
【００１５】
【図１】本発明の一実施の形態に係る伸縮式テント倉庫の一部切り欠き斜視図である。
【図２】図１の伸縮式テント倉庫の要部正面図である。
【図３】図１の伸縮式テント倉庫の要部斜視図である。
【図４】図１の伸縮式テント倉庫の伸長時の要部平面図である。
【図５】図１の伸縮式テント倉庫の縮小時の要部平面図である。
【図６】従来の伸縮式テント倉庫の斜視図である。
【発明を実施するための形態】
【００１６】
以下、本発明の伸縮式テント倉庫に係る一実施の形態を図面に基づいて説明する。ここで、図１は、伸縮式テント倉庫の一部切り欠き斜視図である。図２は、伸縮式テント倉庫の要部正面図を示す。なお、実施の形態を説明するに当たって、同一機能を奏するものは同じ符号を付して説明する。
【００１７】
図１、２において、伸縮式テント倉庫１０は、地上表面の左右の対向位置に、前後方向に延出する左右一対の軌条１１が敷設され、一対の軌条１１間には、略コ字状の複数のフレーム１２が軌条１１の長手方向（前後方向）に一列状に跨設されている。
【００１８】
フレーム１２は、その両側に外支柱１２ａを有し、この外支柱１２ａの内側には内支柱１２ｂが形成されている。外支柱１２ａと内支柱１２ｂは、軌条１１に対して直交する方向に配置され、外支柱１２ａの下端と内支柱１２ｂの下端との間には、横杆１３が水平方向に架設されている。
【００１９】
横杆１３の下面略中央部には、軌条１１上を走行する軌道輪１４が装着され、複数のフレーム１２は、軌条１１上を順次移動可能になっている。
また、軌道輪１４は、両端に一対のフランジ１４ａが形成されたローラ１４ｂと、このローラ１４ｂを覆う断面コ字状のカバー１４ｃとから構成されている。
【００２０】
ローラ１４ｂは、軌条１１上に載置され、一対のフランジ１４ａが、軌条１１の両側面に案内されることで、軌条１１上を脱輪することなくスムーズに走行されるようになっている。なお、軌道輪１４のうち最外端に位置する前後のものは、図示しないブレーキ付きになっている。
【００２１】
各フレーム１２の互いに隣接する外支柱１２ａ間には、交差状に枢結された複数のリンク部材１７が設けられ、リンク部材１７の上端および下端は、隣接する外支柱１２ａにそれぞれ個別に枢結され、隣接するフレーム１２の間隔が、軌条１１の長手方向、即ち伸縮式テント倉庫１０の前後方向に伸縮可能になっている。複数のフレーム１２上には、耐候性のテントシート１８が蛇腹状に覆設され、前後方向に最大限の伸長状態から最小限の縮小状態まで伸縮自在になっている。
【００２２】
前後方向に隣接する内支柱１２ｂの下部間には、アルミ鋼材を細長プレート状に形成した一対のバー材１５が外側に向けて配置されている。これら一対のバー材１５の外端同士は、図３に示すように、バンドヒンジ１６により回動自在に連結され、隣接するバー材１５の内端同士は、内支柱１２ｂに固定されたバンドヒンジ２１により回動自在に連結されている。
【００２３】
この場合、バンドヒンジ１６とバー材１５は、結束バンド（インシュロック）２２を用いて着脱可能に固定されている。また、バンドヒンジ２１は、取付け部２１ａおよびヒンジ部２１ｂからなり、取付け部２１ａと内支柱１２ｂが結束バンド２２により着脱可能に固定され、ヒンジ部２１ｂとバー材１５も結束バンド２２により着脱可能に固定されている。
【００２４】
こうして、複数のバー材１５は、バンドヒンジ１６、２１によりジグザグ状に連結され、内支柱１２ｂの下部（横杆１３の内端近傍）に固定された状態で、バンドヒンジ１６を中心にして外側に折り畳み可能になっている。
【００２５】
また、バンドヒンジ１６、２１が、結束バンド２２により固定されたことから、バー材１５やバンドヒンジ１６、２１の交換作業が簡便化され、メンテナンスを容易にしている。
【００２６】
バンドヒンジ１６、２１は、強靭性を有する繊維生地からなり、例えばスリングベルト生地が好適である。これによれば、バンドヒンジ１６、２１の耐錆性が向上し、かつバンドヒンジ１６、２１の軽量化および自在性の向上が図られる。加えて、バー材１５が軽量のアルミ鋼材から形成されていることから、バー材１５の垂れ下り等の変形が防止される。
【００２７】
かかる伸縮式テント倉庫１０の伸長時は、図４に示すように、テントシート１８が展開し、隣接するバー材１５が鈍角に開いた状態にある。この状態から、テント倉庫１０を縮小（簡易倉庫型空間２０を縮小）するときは、図５に示すように、フレーム１２が、手動または自動操作により軌条１１上を矢印Ｂの方向に走行し、テントシート１８を折り畳んでいく。
【００２８】
このとき、一対のバー材１５は、バンドヒンジ１６を中心にして鋭角に閉じられながら、外側に張り出していく。これに伴って、シート１８の裾部１８ａは、軌条１１より外側に押し出され、シート１８の裾部１８ａの軌道輪１４への巻き込みが防止される。
【００２９】
これにより、テント倉庫１０の伸縮作業がスムーズに行なわれるようになり、フレーム１２の蛇行走行が防止され、フレーム１２が変形するような事態も回避される。また、テントシート１８の裾部１８ａをローラ１４ｂにより破損することもない。
【００３０】
また、隣接するフレーム１２に、その内側に向けて横杆１３がそれぞれ突設され、複数のバー材１５が、内支柱１２ｂの下部、即ち横杆１３の内端近傍にそれぞれ枢結されているので、バー材１５が折り畳まれたときの外側への張り出し量を小さくすることができ、テント倉庫１０の設置スペースが節約され、設置スペースの有効利用が可能となる。
【００３１】
さらに、伸縮式テント倉庫１０の設置に際して、伸縮式テント倉庫１０をクレーンで吊上げ、ローラ１４ｂを左右両側の軌条１１上に位置決め載置するとき、バー材１５の外側への張り出し量が小さくなった分、伸縮式テント倉庫１０の左右両側に余裕のスペースが確保され、伸縮式テント倉庫１０の設置作業が容易になる。
【００３２】
また、バー材１５の外側への張り出し量が小さくなったことは、バー材１５と作業者との不用意な接触が避けられることになり、安全性が向上し、バー材１５に風圧や積雪、地震等による外力が作用しても変形のリスクが軽減される。
【００３３】
以上、本発明の実施の形態の伸縮式テント倉庫について詳述したが、本発明は、上記実施の形態記載の伸縮式テント倉庫に限定されるものではなく、本発明の特許請求の範囲に記載されている発明の精神を逸脱しない範囲で、設計において種々の変更ができるものである。
【００３４】
例えば、本実施形態では、軌道輪１４は、横杆１３下面の略中央部に装着されたが、これに限らず、横杆１３の外端下面に装着してもよい。これによれば、バー材１５は、伸縮式テント倉庫１０のより内側に取り付けられることになり、バー材１５の外側への張り出し量がより小さくなり、設置スペースの節約が図られる。
また、バー材１５を鉄鋼材により形成してもよく、バー材１５の外端部（屈曲部）をテントシート１８に固定することで、バー材１５が安定的に保持され、自重による垂れ下り等が防止される。
【産業上の利用可能性】
【００３５】
本発明に係る伸縮式テント倉庫は、作業場やイベント用のハウスおよび荷物の収納庫として利用されるテント倉庫として有用である。
【符号の説明】
【００３６】
１０  伸縮式テント倉庫
１１  軌条
１２  フレーム
１２ａ  外支柱
１２ｂ  内支柱
１３  横杆
１４  軌道輪
１４ａ  フランジ
１４ｂ  ローラ
１４ｃ  カバー
１５  バー材
１６、２１  バンドヒンジ
１７  リンク部材
１８  テントシート
１８ａ  裾部
２０  簡易倉庫型空間
２１ａ  取り付け部
２１ｂ  ヒンジ部
２２  結束バンド
Ｂ  矢印
【図１】
2013133629.tif 000003
【図２】
2013133629.tif 000004
【図３】
2013133629.tif 000005
【図４】
2013133629.tif 000006
【図５】
2013133629.tif 000007
【図６】
2013133629.tif 000008